(57)【要約】【課題】ロック解除の作業性を向上することのできるフック装置を提供する。【解決手段】フック装置１０は、基体１６、フック部材１８、ロック部材２０、保持部材２２およびコイルバネ２４を備えている。ロック部材２０は、ロック部６４と、取付部６６と、係合部６８と、アーム部７２とを有している。ロック部材２０をコイルバネ２４の付勢に抗してロック解除位置Ｐ２へ移動させると、保持部材２２がコイルバネ２４の付勢によって係合部６８に係止され、ロック解除位置Ｐ２においてロック部材２０が保持される。一方、保持部材２２をコイルバネ２４の付勢に抗して保持解除位置Ｐ４へ移動させると、ロック部材２０がコイルバネ２４の付勢によってロック位置Ｐ１へ移動され、フック部材１８の回動が禁止される。【選択図】図１
2008207912.tif 000002
【特許請求の範囲】
【請求項１】
ワイヤの端部が固定されるワイヤ固定部を有する基体、
前記基体に回動自在に取り付けられ、回動が禁止された状態で吊下対象物を吊り下げるフック部材、
前記基体に回動自在に取り付けられ、ロック位置において前記フック部材の回動を禁止し、ロック解除位置においてその禁止状態を解除するロック部材、
前記基体に回動自在に取り付けられ、保持位置において前記ロック部材の回動を禁止し、保持解除位置においてその禁止状態を解除する保持部材、
前記ロック部材に対してロック解除位置からロック位置へ向かう力を付勢するロック用弾性部材、および
前記保持部材に対して保持解除位置から保持位置へ向かう力を付勢する保持用弾性部材を備える、フック装置であって、
前記ロック部材は、ロック位置において前記フック部材に係止されるロック部と、ロック解除位置において前記保持部材に係止される係合部とを有しており、
前記ロック部材を前記ロック用弾性部材の付勢に抗してロック解除位置へ移動させたときに、前記保持部材が前記保持用弾性部材の付勢によって前記係合部に係止され、前記保持部材を前記保持用弾性部材の付勢に抗して保持解除位置へ移動させたときに、前記ロック部材が前記ロック用弾性部材の付勢によって前記ロック位置へ移動される、フック装置。
【請求項２】
前記ロック部材は、前記基体に取り付けられた回動軸が挿通される軸受け孔を有する筒状の取付部と、前記ロック部と前記取付部とを連結するアーム部とを有しており、前記係合部は、前記取付部の外周部に形成されている、請求項１に記載のフック装置。
【請求項３】
前記ロック用弾性部材と前記保持用弾性部材とは１つのコイルバネによって連続して形成されており、前記コイルバネの一端が前記ロック部材に固定され、他端が前記保持部材に固定される、請求項１または２に記載のフック装置。
【請求項４】
前記ロック部材における前記ロック部の上面には、凹部または突部が形成されており、前記フック部材には、突部または凹部が形成されており、前記ロック部材がロック位置にあるとき、前記ロック部材の凹部または突部に前記フック部材の突部または凹部が嵌合される、請求項１ないし３のいずれかに記載のフック装置。
【発明の詳細な説明】
【技術分野】
【０００１】
本発明は、クレーン等に設けられた巻取装置から繰り出されるワイヤの端部に取り付けられ、鉄板等の吊下対象物を吊り下げる、フック装置に関する。
【背景技術】
【０００２】
従来のフック装置の一例が特許文献１に開示されている。このフック装置１は、図１３に示すように、ワイヤ固定部２ａと脱落防止部２ｂとを有する「く字状」のフック支持体２に「Ｕ字状」のフック３を回動自在に取り付けたものである。このフック装置１を使用する際には、まず、ワイヤ固定部２ａにワイヤ４の端部を固定し、フック３を回動させることによって脱落防止部２ｂによるロック状態を解除する。そして、フック３を吊下対象物５に形成された孔５ａに引っ掛けた後、ワイヤ４を巻き取っていく。すると、フック３が吊下対象物５の自重にて回動されることによって、その先端部が徐々に脱落防止部２ｂに近づいていき、吊下対象物５を完全に吊り下げた状態では、フック３の先端部と脱落防止部２ｂとの間隔はわずかとなり、かつ、ロック１ａがフック３の係合段部３ａに係止され、これにより吊下対象物５の脱落が防止される。
【０００３】
このフック装置１では、吊下対象物５を完全に吊り下げた状態において吊下対象物５の脱落を防止できるが、巻取装置による吊下動作の初期段階では、フック３の先端部と脱落防止部２ｂとの間隔が広くなっているため、吊下対象物５の孔５ａに引っ掛けられたフック３の先端部が滑り易く、吊下対象物５が脱落するおそれがあった。
【０００４】
そこで考えられたのが、非特許文献１のフック装置６である。このフック装置６は、図１４に示すように、基体６ａに対して、フック部材７ａ、ロック部材７ｂ、保持部材７ｃおよび離脱防止部材７ｄを取り付けたものである。このフック装置６では、吊下対象物５にフック部材７ａを引っ掛けると同時に、フック部材７ａの回動がロック部材７ｂによって禁止され、保持部材７ｃによってロック部材７ｂが保持される。この状態において、フック部材７ａの先端部は離脱防止部材７ｄに近接して配置され、吊下対象物５の脱落を防止し得る完全なフック状態Ｆが構成される。したがって、このフック装置６によれば、吊下動作の初期段階から吊下対象物５の脱落を確実に防止することができる。
【特許文献１】特開平４−２７２０８７号
【非特許文献１】株式会社広田製作所「ＨＲ−３ＴＰロックフック」のカタログ
【発明の開示】
【発明が解決しようとする課題】
【０００５】
従来のフック装置６（非特許文献１）では、フック部材７ａの回動がロック部材７ｂによって禁止され、保持部材７ｃによってロック部材７ｂが保持される。したがって、ロック部材７ｂを単に押しただけでは、これをロック解除位置まで移動させることができず、ロック解除の作業性が悪いという問題があった。
【０００６】
つまり、ロック部材７ｂをロック解除位置まで移動させるためには、図１５に示すように、まず、（ａ）保持部材７ｃを押すことによってロック部材７ｂの保持状態を解除し、その後、（ｂ）ロック部材７ｂを押すことによってこれをロック解除位置まで移動させる必要があり、ロック解除を１つの動作で行うことができなかった。
【０００７】
特に、ビルの工事現場のような雑然とした場所において、「ロック」および「ロック解除」の動作をワンタッチで確実に行うことは、必須不可欠なことであるが、従来のフック装置６では、これらの要求を満足することができなかった。
【０００８】
それゆえに、本発明の主たる課題は、「ロック」および「ロック解除」の動作をワンタッチで確実に行うことができる、フック装置を提供することである。
【課題を解決するための手段】
【０００９】
請求項１に記載した発明は、「ワイヤ１２の端部が固定されるワイヤ固定部４０を有する基体１６、前記基体１６に回動自在に取り付けられ、回動が禁止された状態で吊下対象物１４を吊り下げるフック部材１８、前記基体１６に回動自在に取り付けられ、ロック位置Ｐ１において前記フック部材１８の回動を禁止し、ロック解除位置Ｐ２においてその禁止状態を解除するロック部材２０、前記基体１６に回動自在に取り付けられ、保持位置Ｐ３において前記ロック部材２０の回動を禁止し、保持解除位置Ｐ４においてその禁止状態を解除する保持部材２２、前記ロック部材２０に対してロック解除位置Ｐ２からロック位置Ｐ１へ向かう力を付勢するロック用弾性部材２４ａ、および前記保持部材２２に対して保持解除位置Ｐ４から保持位置Ｐ３へ向かう力を付勢する保持用弾性部材２４ｂを備える、フック装置１０であって、前記ロック部材２０は、ロック位置Ｐ１において前記フック部材１８に係止されるロック部６４と、ロック解除位置Ｐ２において前記保持部材２２に係止される係合部６８とを有しており、前記ロック部材２０を前記ロック用弾性部材２４ａの付勢に抗してロック解除位置Ｐ２へ移動させたときに、前記保持部材２２が前記保持用弾性部材２４ｂの付勢によって前記係合部６８に係止され、前記保持部材２２を前記保持用弾性部材２４ｂの付勢に抗して保持解除位置Ｐ４へ移動させたときに、前記ロック部材２０が前記ロック用弾性部材２４ａの付勢によって前記ロック位置Ｐ１へ移動される、フック装置」である。
【００１０】
本発明において、ロック部材２０のロック状態を解除する際には、ロック部材２０を手で押すことによってロック解除位置Ｐ２へ移動させる。すると、保持部材２２が保持用弾性部材２４ｂの付勢によって係合部６８に係止され、ロック解除状態が保持される。一方、ロック部材２０をロック状態にする際には、保持部材２２を手で押すことによって保持解除位置Ｐ４へ移動させる。すると、保持部材２２の係合部６８に対する係止状態が解除され、ロック部材２０がロック用弾性部材２４ａの付勢によってロック位置Ｐ１へ移動される。
【００１１】
請求項２に記載した発明は、請求項１に記載した「フック装置１０」において、「前記ロック部材２０は、前記基体１６に取り付けられた回動軸４２ｂが挿通される軸受け孔７６を有する筒状の取付部６６と、前記ロック部６４と前記取付部６６とを連結するアーム部７２とを有しており、前記係合部６８は、前記取付部６６の外周部に形成されている」ことを特徴とする。
【００１２】
本発明では、アーム部７２が「梃子の腕」として機能するため、「梃子の原理」を用いてロック部材２０を簡単に回動させることができる。
【００１３】
請求項３に記載した発明は、請求項１または２に記載した「フック装置１０」において、「前記ロック用弾性部材２４ａと前記保持用弾性部材２４ｂとは１つのコイルバネ２４によって連続して形成されており、前記コイルバネ２４の一端２４ｃが前記ロック部材２０に固定され、他端２４ｄが前記保持部材２２に固定される」ことを特徴とする。
【００１４】
本発明では、ロック用弾性部材２４ａと保持用弾性部材２４ｂとが１つのコイルバネ２４によって連続して形成されているので、「部品点数」や「取付け作業工程数」を減らすことができ、ひいては「製造コスト」を大幅に低減することができる。
【００１５】
請求項４に記載した発明は、請求項１ないし３のいずれかに記載した「フック装置１０」において、「前記ロック部材２０における前記ロック部６４の上面には、凹部９４または突部９６が形成されており、前記フック部材１８には、突部９６または凹部９４が形成されており、前記ロック部材２０がロック位置Ｐ１にあるとき、前記ロック部材２０の凹部９４または突部９６に前記フック部材１８の突部９６または凹部９４が嵌合される」ことを特徴とする。
【００１６】
本発明では、凹部９４と突部９６とが嵌合されることによって、吊下対象物１４の吊り上げ時において、フック部材１８の開方向への回動がより確実に禁止される。
【発明の効果】
【００１７】
請求項１〜３に記載した発明において、ロック部材２０をロック解除位置Ｐ２へ移動させると、保持部材２２が保持用弾性部材２４ｂの付勢によってロック部材２０の係合部６８に係止され、それによってロック部材２０のロック解除状態が保持される。つまり、保持部材２２でロック部材２０を保持する動作は、保持用弾性部材２４ｂの付勢によって自動的に行われる。したがって、ロック部材２０をロック解除位置Ｐ２へ移動させるだけで、フック部材１８の開方向への回動禁止を解除できるとともに、その状態を保持できる。
【００１８】
一方、保持部材２２を保持解除位置Ｐ４へ移動させると、保持部材２２とロック部材２０の係合部６８との係合状態が解除され、ロック用弾性部材２４ａの付勢によってロック部材２０がロック位置Ｐ１へ自動的に移動される。したがって、保持部材２２を保持解除位置Ｐ４へ移動させるだけで、フック部材１８の開方向への回動を禁止できるとともに、その状態を保持できる。
【００１９】
換言すると、「ロック」および「ロック解除」の動作をワンタッチで確実に行うことができる。
【発明を実施するための最良の形態】
【００２０】
図１は、本発明が適用されたフック装置１０を示す平面図であり、図２は、フック装置１０を示す正面図である。また、図３は、図１におけるIII-III線断面図である。
【００２１】
このフック装置１０は、図６に示すように、クレーン等に設けられた巻取装置から繰り出されるワイヤ１２の端部に取り付けられ、鉄板等の吊下対象物１４を吊り下げるものである。ここで、吊下対象物１４の種類は、特に限定されるものではないが、吊下対象物１４には、フック装置１０を引っ掛けるための孔１４ａが形成されている必要がある。
【００２２】
フック装置１０（図１〜３）は、基体１６と、フック部材１８と、ロック部材２０と、保持部材２２と、コイルバネ２４と、離脱防止機構２６とを備えている。なお、コイルバネ２４は、「ロック用弾性部材２４ａ」および「保持用弾性部材２４ｂ」の両機能を併有するものであるが、この点については後述する。
【００２３】
基体１６は、鉄等の金属からなる２枚の板材３０と、板材３０間に配設されたスペーサ３２とを接合ピン３４等で接合することによって構成されている。スペーサ３２（図１）は、基体１６の長手方向一方端部（図２、図３における右側の端部）にだけ配設されている。したがって、基体１６の長手方向他方端部（図２、図３における左側の端部）および中央部には、空間３６が確保されており、この空間３６内に、フック部材１８、ロック部材２０、保持部材２２、コイルバネ２４および離脱防止機構２６等が収容されている。
【００２４】
基体１６の形状は、完全な吊下げ状態において、鉛直方向へ長くなるように設定されており、基体１６の長手方向一方端部および他方端部は、略半円状に丸みをおびて形成されている。また、基体１６の幅方向一方側端（図２、図３における上側の側端）には、ロック部材２０が当接する当接部１６ａが凹状に形成されており、ロック部材２０の移動範囲に相当する部分（以下、「移動範囲部分」という。）１６ｂの側縁は、略円弧状に丸みをおびて形成されている。また、当接部１６ａに近接する部分には、ロック位置Ｐ１にあるロック部材２０のロック部６４を保護するカバー部１６ｃが形成されている。さらに、基体１６の幅方向他方側端（図２、図３における下側の側端）には、フック部材１８と協働してフックＦを構成するフック構成部１６ｄが直線状に形成されている。
【００２５】
そして、基体１６の長手方向一方端部、すなわちスペーサ３２が配設された側の端部には、ワイヤ１２の端部が係止される貫通孔３８を有するワイヤ固定部４０が形成されており、基体１６の長手方向他方端部、すなわち空間３６が確保された側の端部には、フック部材１８を取り付けるためのボルト４２ａが挿通される貫通孔４４ａが形成されている。さらに、基体１６の長手方向中央部よりもやや一方端部側には、ボルト４２ｂ，４２ｃ，４２ｄ，４２ｅが挿通される貫通孔４４ｂ，４４ｃ，４４ｄ，４４ｅが所定位置に形成されている。
【００２６】
フック部材１８は、図３に示すように、鉄等の金属からなる「フック状」の部材であり、「フック状」の底部を構成するフック部材本体５０と、「フック状」の先端部を構成する爪部５２と、「フック状」の後端部を構成する係止突起部５４と、爪部５２とは反対の方向へ向けてフック部材本体５０から突出して設けられた突起部５６とによって一体的に構成されている。
【００２７】
フック部材本体５０は、基体１６に回動自在に取り付けられる部分であり、フック部材本体５０における回動中心位置には、基体１６に取り付けられた「回動軸」としてのボルト４２ａが挿通される軸受け孔５８が形成されている。また、フック部材本体５０の表裏両面には、軽量化のために凹部６０が形成されている。爪部５２は、吊下対象物１４に形成された孔１４ａ（図６）に挿通される部分であり、爪部５２の厚さおよび幅は、「吊下対象物１４の重量」や「孔１４ａの大きさ」等を考慮して設定されている。また、爪部５２の表裏両面には、フック部材本体５０と同様に凹部６０が形成されている。係止突起部５４は、フック部材１８の回動を禁止する際に、ロック部材２０が係止される部分であり（図９）、係止突起部５４の形状や大きさは、ロック部材２０に対する係止角度や係止面積等を考慮して設定されている。フック部材本体５０から延びる突起部５６は、フック部材１８を回動させて爪部５２を孔１４ａに引っ掛ける際に、作業者Ｍ（図８、図９）から力を受ける部分であり、突起部５６の形状や大きさは、作業者Ｍが踏み易いように設定されている。
【００２８】
フック部材１８を基体１６に取り付ける際には、フック部材１８を基体１６の空間３６内に収容し、フック部材１８の軸受け孔５８と基体１６の貫通孔４４ａとを連通させた状態でこれらにボルト４２ａを挿通し、このボルト４２ａの先端部にナット４６ａを螺合する。そして、ナット４６ａの側壁に形成された孔にロックピン６２（図１）を挿通し、これによりナット４６ａの脱落を防止する。
【００２９】
ロック部材２０は、図４に示すように、所定のロック位置Ｐ１（二点鎖線の位置）においてフック部材１８の開方向への回動を禁止し、所定のロック解除位置Ｐ２（実線の位置）においてその禁止状態を解除するものであり、図５に示すように、ロック部６４と、取付部６６と、係合部６８と、バネ固定部７０と、アーム部７２とを有している。
【００３０】
ロック部６４は、ロック位置Ｐ１においてフック部材１８に係止される部分であり、ロック部６４の上面は、図５（Ａ）に示すように、左右側端部から中央部へ向かって徐々に低くなるように「Ｖ字状」に形成されており、この上面においてフック部材１８の係止突起部５４が受けられる。また、ロック部６４の上面後端部には、滑り止めの溝（または突条）７４ａをその表裏両面に有する操作部７４が突出するように形成されており、この操作部７４が作業者Ｍの手によって操作される。ロック部６４の左右方向幅は、図１に示すように、基体１６の厚さとほぼ同じに設定されている。したがって、ロック部材２０がロック位置Ｐ１に移動した際には、ロック部６４の下面または前側面が当接部１６ａに当接され、かつ、ロック部６４の上面がカバー部１６ｃによって覆われることになる。
【００３１】
取付部６６は、「回動軸」となるボルト４２ｂが挿通される軸受け孔７６を有する筒状の部分であり、取付部６６の外周部には、係合部６８とバネ固定部７０とが形成されている。
【００３２】
係合部６８は、保持部材２２に係止される段状の部分であり、取付部６６の外周部における「後部」に形成されている。なお、係合部６８の形状は、特に限定されるものではなく、本実施例のような「段状」の他、「突起状」または「溝状」であってもよい。また、ここで言う「後部」とは、ロック位置Ｐ１へ向いた部分（すなわち「前部」）の反対側に位置する部分を意味するものとする。
【００３３】
バネ固定部７０は、コイルバネ２４の一端が固定される部分であり、取付部６６とアーム部７２との継目付近の「前部」、すなわちアーム部７２の「根元部分」に形成されており、バネ固定部７０には、コイルバネ２４の一端の環状部２４ｃが係止されるバネ係止ピン７８が取り付けられている。
【００３４】
アーム部７２は、ロック部６４と取付部６６とを連結する棒状の部分である。フック部材１８のロック状態を解除する際には、コイルバネ２４の付勢に抗してロック部材２０をロック解除位置Ｐ２まで回動させる必要があるが、この際、アーム部７２が「梃子」の「腕」として機能するため、「梃子の原理」を用いて簡単に回動させることができる。つまり、アーム部７２を「腕」とする「梃子」においては、ロック部６４の操作部７４が「力点」となり、取付部６６が「支点」となり、バネ固定部７０が「作用点」となるため、ロック部材２０を回動させる際には、バネ固定部７０に接続されたコイルバネ２４の付勢に対してわずかな力で対抗することができる。
【００３５】
ロック部材２０を基体１６に取り付ける際には、ロック部材２０のロック部６４を基体１６の移動範囲部分１６ｂの側縁から突出させた状態でフック部材１８を基体１６の空間３６内に収容する。そして、ロック部材２０の軸受け孔７６と基体１６の貫通孔４４ｂとを連通させた状態でこれらにボルト４２ｂを挿通し、このボルト４２ｂの先端部にナット４６ｂを螺合する。
【００３６】
保持部材２２は、図４に示すように、所定の保持位置Ｐ３（実線の位置）においてロック部材２０のロック位置Ｐ１方向（ロック方向）への回動を禁止し、所定の保持解除位置Ｐ４（二点鎖線の位置）においてその禁止状態を解除するものであり、操作部８０と、係止部８２と、アーム部８４とを有している。
【００３７】
操作部８０は、作業者Ｍの手によって操作される部分であり、操作部８０には、滑り止めの溝（または突条）８０ａがその表裏両面に形成されている。係止部８２は、保持位置Ｐ３においてロック部材２０の係合部６８に係止される部分であり、本実施例では、係合部６８の形状に合致する突起状に形成されている。アーム部８４は、操作部８０と係止部８２とを連結する棒状の部分であり、アーム部８４の中央部には、「回動軸」となるボルト４２ｃが挿通される軸受け孔８６が形成されている。また、アーム部８４における軸受け孔８６と操作部８０との間に位置する部分には、コイルバネ２４の他端の環状部２４ｄが係止されるバネ係止ピン８８が取り付けられている。
【００３８】
保持部材２２を基体１６に取り付ける際には、操作部８０を基体１６の側縁から突出させた状態で保持部材２２を基体１６の空間３６内に収容し、保持部材２２の軸受け孔８６と基体１６の貫通孔４４ｃとを連通させた状態でこれらにボルト４２ｃを挿通し、このボルト４２ｃの先端部にナット４６ｃを螺合する。
【００３９】
コイルバネ２４は、図４に示すように、一般的な螺旋状のバネ部材であり、一端に環状部２４ｃを有し、かつ、他端に環状部２４ｄを有している。そして、このコイルバネ２４がロック部材２０における取付部６６の下方を通って「Ｕ字状」に配設されており、コイルバネ２４の一端（環状部２４ｃ）がロック部材２０のバネ係止ピン７８に固定（係止）されており、他端（環状部２４ｄ）が保持部材２２のバネ係止ピン８８に固定（係止）されている。
【００４０】
したがって、このコイルバネ２４は、ロック部材２０に対してロック解除位置Ｐ２からロック位置Ｐ１へ向かう力を付勢する「ロック用弾性部材２４ａ」としての機能と、保持部材２２に対して保持解除位置Ｐ４から保持位置Ｐ３へ向かう力を付勢する「保持用弾性部材２４ｂ」としての機能とを併有することになる。
【００４１】
離脱防止機構２６は、フックＦに係止された吊下対象物１４の脱落を防止するものであり、図３に示すように、基体１６に対して出没自在に設けられた棒状の出没係止部材９０と、出没係止部材９０に対して突出方向へ付勢するコイルバネ９２と、出没係止部材９０の出没方向の動きをガイドする２つのボルト４２ｄ，４２ｅと、スペーサ３２に設けられたバネ係止部３２ａとによって構成されている。
【００４２】
出没係止部材９０の幅方向一方側端（図３における右側の側端）には、段状のバネ係止部９０ａが形成されており、このバネ係止部９０ａとスペーサ３２のバネ係止部３２ａとの間にコイルバネ９２が圧縮状態で配設されている。したがって、出没係止部材９０は、通常状態においてコイルバネ９２の付勢によって基体１６から突出されており、外力が作用した際には、コイルバネ９２の付勢に抗して基体１６の空間３６内へ没入される。また、出没係止部材９０の幅方向他方側端（図３における左側の側端）には、突起状のストッパ部９０ｂが形成されており、このストッパ部９０ｂが２つのボルト４２ｄ，４２ｅの間に配設されている。したがって、ストッパ部９０ｂが一方のボルト４２ｄに当接されることによって、出没係止部材９０の脱落が防止される。
【００４３】
フック装置１０を用いて吊下対象物１４の運搬作業を行う際には、基体１６のワイヤ固定部４０に形成された貫通孔３８に巻取装置から繰り出されたワイヤ１２（図６）の端部を係止する。続いて、ロック部材２０をロック解除位置Ｐ２（図４）に位置決めした状態でフック装置１０を吊り下げる。すると、図６に示すように、フック部材１８が自重によって回動され、フック部材１８の爪部５２が最下位置に配置される。
【００４４】
フック部材１８を最下位置に配置した後は、フック部材１８の爪部５２を吊下対象物１４の孔１４ａに挿通するとともに、図６中の二点鎖線で示すように、ロック部材２０をロック解除位置Ｐ２からロック位置Ｐ１へ移動させることによって、フック部材１８の開方向への回動を禁止する準備を整える。
【００４５】
ロック部材２０をロック位置Ｐ１へ移動させる際には、保持部材２２をコイルバネ（保持用弾性部材２４ｂ）２４の付勢に抗して保持位置Ｐ３から保持解除位置Ｐ４へ移動させる。すると、保持部材２２の係止部８２がロック部材２０の係合部６８から離脱され（図４）、ロック部材２０がコイルバネ（ロック用弾性部材２４ａ）２４の付勢によってロック解除位置Ｐ２からロック位置Ｐ１へ自動的に移動される。
【００４６】
そして、図７に示すように、巻取装置からワイヤ１２を繰り出すことによって、フック装置１０の基体１６を地面Ｇに対して平行になるように寝かせていき、基体１６に対してフック部材１８をロック部材２０によるロック（回動禁止）が可能な位置まで回動させる。このとき、吊下対象物１４が地面Ｇに敷かれている場合（図６〜図９）には、爪部５２が地面Ｇに接触するため、爪部５２を孔１４ａへ引っ掛ける動作が阻害されることになるが、フック部材１８の突起部５６を踏むようにすると、フック部材１８に大きな回動力を付与して地面Ｇを掘り起こすことができるので、フック部材１８を容易に回動させることができ、爪部５２の引っ掛け動作を楽に行うことができる。
【００４７】
フック部材１８を回動させていくと、まず、図８に示すように、フック部材１８における係止突起部５４の外側端５４ａがロック部材２０のロック部６４に接触し、外側端５４ａがロック部６４をロック解除位置Ｐ２の側へ押し戻しつつ、ロック部６４を乗り越えていく。そして、外側端５４ａがロック部６４を乗り越えると、係止突起部５４の突出側端５４ｂがロック部６４に接触する。その後、フック部材１８をさらに回動させていくと、突出側端５４ｂがロック部６４を乗り越え、図９に示すように、ロック部材２０がコイルバネ（ロック用弾性部材２４ａ）２４の付勢によって再びロック位置Ｐ１へ移動される。したがって、その後にフック部材１８が開方向へ回動しようとすると、係止突起部５４の内側端５４ｃがロック部材２０に当接することとなり、フック部材１８の開方向への回動が禁止される。
【００４８】
また、図８および図９の状態において、離脱防止機構２６を構成する出没係止部材９０が地面Ｇ等に当接すると、コイルバネ９２の付勢に抗して出没係止部材９０が基体１６の空間３６内へ没入される。
【００４９】
以上の作業により吊下対象物１４に対するフック装置１０の取り付けが完了すると、図１０に示すように、ワイヤ１２を巻き上げて吊下対象物１４を吊り上げ（すなわち吊下状態で持ち上げ）、この吊下対象物１４を目的位置まで運搬し、目的位置においてフック装置１０を吊下対象物１４から取り外す。
【００５０】
吊下対象物１４の運搬中には、離脱防止機構２６の出没係止部材９０がコイルバネ９２の付勢によって基体１６から突出されており、フック部材１８の先端部と出没係止部材９０との隙間が閉じた状態になっている。したがって、吊下対象物１４が構造物に接触してもフック装置１０から脱落することはなく、出没係止部材９０による離脱防止機能が有効に発揮されることになる。
【００５１】
フック装置１０を吊下対象物１４から取り外す際には、吊下対象物１４を地面Ｇに寝かせた状態でフック部材１８の回動禁止状態（ロック状態）を解除し、その後、フック部材１８の爪部５２を吊下対象物１４の孔１４ａから離脱させる。
【００５２】
フック部材１８の回動禁止状態を解除する際には、図１１に示すように、ロック部材２０の操作部７４を手で押すことによって、ロック部材２０をコイルバネ（ロック用弾性部材２４ａ）２４の付勢に抗してロック位置Ｐ１からロック解除位置Ｐ２まで移動させる。すると、保持部材２２がコイルバネ（保持用弾性部材２４ｂ）２４の付勢によってロック部材２０の係合部６８（図４）に係止され、フック部材１８がロック解除位置Ｐ２において保持される。これにより、フック部材１８の回動禁止状態が解除されるとともに、その解除状態が保持される。
【００５３】
フック部材１８の爪部５２を吊下対象物１４の孔１４ａから離脱させる際には、フック部材１８の回動禁止状態を解除した状態でワイヤ１２を巻き上げていく。すると、フック部材１８が自重によって回動され、図６の状態と同様に、フック部材１８の爪部５２が最下位置に配置される。その状態からワイヤ１２をさらに巻き上げていくと、フック装置１０の全体が吊り上げられ、フック部材１８の爪部５２が吊下対象物１４の孔１４ａから離脱される。
【００５４】
なお、上述の実施例では、１つのコイルバネ２４に「ロック用弾性部材２４ａ」としての機能と「保持用弾性部材２４ｂ」としての機能とを併有させているが、コイルバネ２４を２つにして、機能ごとに異なるコイルバネを用いるようにしてもよい。また、「ロック用弾性部材２４ａ」および「保持用弾性部材２４ｂ」としては、「コイルバネ」の他に、「板バネ」または「ゴム」等の他の「弾性部材」を用いるようにしてもよい。
【００５５】
また、上述の実施例では、ロック部材２０におけるロック部６４の上面を「Ｖ字状」に形成し、この上面でフック部材１８の係止突起部５４を受けるようにしているが、これに代えて、図１２に示すような「嵌合構造」を採用してもよい。つまり、ロック部材２０におけるロック部６４の上面に凹部（溝または穴等）９４を形成し、フック部材１８に凹部９４と嵌合可能な突部９６を形成してもよい。また、これとは逆に、ロック部６４の上面に突部９６を形成し、フック部材１８に突部９６と嵌合可能な凹部（溝または穴等）９４を形成してもよい（図示省略）。
【図面の簡単な説明】
【００５６】
【図１】フック装置を示す平面図
【図２】フック装置を示す正面図
【図３】図１におけるIII-III線断面図
【図４】ロック部材および保持部材の動作を示す部分拡大図
【図５】ロック部材を示す正面図および側面図
【図６】フック部材の爪部が最下位置に配置された状態を示す図
【図７】フック部材を回動させる状態を示す図
【図８】係止突起部がロック部を乗り越える過程を示す図
【図９】ロック部材がロック位置へ移動された状態を示す図
【図１０】吊下対象物を吊り下げた状態を示す図
【図１１】ロック部材をロック解除位置へ移動させる過程を示す図
【図１２】フック部材およびロック部材の変形例を示す図
【図１３】従来技術を示す図
【図１４】他の従来技術を示す図
【図１５】他の従来技術の動作を示す図
【符号の説明】
【００５７】
１０…  フック装置
１２…  ワイヤ
１４…  吊下対象物
１６…  基体
１８…  フック部材
２０…  ロック部材
２２…  保持部材
２４…  コイルバネ
２６…  離脱防止機構
３６…  空間
４０…  ワイヤ固定部
４２ａ，４２ｂ，４２ｃ，４２ｄ，４２ｅ…  ボルト
４４ａ，４４ｂ，４４ｃ，４４ｄ，４４ｅ…  貫通孔
４６ａ，４６ｂ，４６ｃ，４６ｄ，４６ｅ…  ナット
５２…  爪部
５４…  係止突起部
５６…  突起部
６４…  ロック部
６６…  取付部
６８…  係合部
７０…  バネ固定部
７２…  アーム部
９０…  出没係止部材
９４…  凹部
９６…  突部
【図１】
2008207912.tif 000003
【図２】
2008207912.tif 000004
【図３】
2008207912.tif 000005
【図４】
2008207912.tif 000006
【図５】
2008207912.tif 000007
【図６】
2008207912.tif 000008
【図７】
2008207912.tif 000009
【図８】
2008207912.tif 000010
【図９】
2008207912.tif 000011
【図１０】
2008207912.tif 000012
【図１１】
2008207912.tif 000013
【図１２】
2008207912.tif 000014
【図１３】
2008207912.tif 000015
【図１４】
2008207912.tif 000016
【図１５】
2008207912.tif 000017